(57)【要約】【課題】音声認識において、ディクテーションの中に含まれる単語が、他の部分のディクテーション結果からある条件を満たすことがわかる場合に、この条件を満たす単語のみが認識結果となるようにする。【解決手段】音声認識システムは、ディクテーションの認識結果を解析してさらに緻密な認識処理を必要とする単語（列）を求め、この単語（列）の部分にかかる音声についてルールによる認識を行う。ルールによる音声認識の結果でディクテーションの認識結果を置換する。【選択図】図１
2005202165.tif 000002
【特許請求の範囲】
【請求項１】
使用者の自由な発声を受け付ける音声認識システム（ディクテーションシステム）において、使用者の発声に対して音声認識を行い文に変換して単語列（初期認識単語列）を出力する第1のステップと、上記第1のステップの出力である単語列からさらに緻密な認識処理を必要とする単語列（再認識対象単語列）を出力する第2のステップと、上記第1のステップの出力である単語列及び第2のステップの出力である単語列から第2のステップの単語列に対応する部分の音声（再認識対象音声）を認識処理する際に認識結果となりうる単語列の候補（ルール）を出力する第3のステップと、再認識対象音声について第3のステップの出力であるルールを用いて音声認識を行う第4のステップを少なくとも有する音声認識システム。
【請求項２】
上記第1のステップが初期認識単語列を出力する際に各単語について音声認識の確からしさ（確信度）を出力し、第2のステップは確信度が閾値以下の単語列を再認識対象単語列として出力することを特徴とする、請求項1に記載の音声認識システム。
【発明の詳細な説明】
【技術分野】
【０００１】
本発明は、音声認識システムに関するものである。
【背景技術】
【０００２】
音声認識システムにおいて、使用者による自由な文の発声を対象とする場合、すなわちディクテーションシステムの場合には、単語連鎖の出現確率（Ｎグラム）に基づいて音声認識を行っている。
しかし、上記従来の技術では、発声全体にわたる解析が十分でなく、全体を解析すればある条件を満たすべき単語を認識結果とすべきことが明らかな場合にも、その条件を満たさない単語が認識結果となることがあった。例えば、「レストランで、えーと、甲州街道沿いにある、ミーナという店の電話番号が知りたい」という発声に対して、「ミーナという」に替えて「港区」が認識結果となることがあった。
【特許文献１】特開２００２−３４１８９８号公報
【発明の開示】
【発明が解決しようとする課題】
【０００３】
解決しようとする問題点は、ある条件を満たすべき単語を認識結果とすべき場面において、その条件を満たさない単語列が認識結果となる点である。
【課題を解決するための手段】
【０００４】
本発明は、初期認識単語列によって条件を満たすことが明らかになる部分を再認識対象単語列とし、これに対応して条件を満たす単語列のみを対象とするルールを用いた音声認識を行うため、条件を満たす単語列が認識結果となる。
【０００５】
請求項１の発明によれば、第１のステップの出力であるディクテーションの音声認識結果に対して、第２のステップにおいて全体を解析してある条件を満たすべき単語を認識結果とすべき場合を検出し、第3のステップにおいて満たすべき条件をルールとして決定し、第4のステップにおいてルールを用いて音声認識を再実行することができる。これにより、第2のステップにおいて検出された単語については、満たすべき条件に合ったもののみを認識結果とすることができる。
【０００６】
請求項２の発明によれば、第1のステップの出力であるディクテーションの音声認識結果に対して、第２のステップにおいて確信度が低い単語列を検出し、第3のステップにおいてこの検出された単語列が満たすべき条件をルールとして決定し、第4のステップにおいてルールを用いて音声認識を再実行することができる。これにより、第2のステップにおいて検出された単語については、満たすべき条件に合った限定された単語列を対象にして第4のステップの音声認識が実行され、高い認識精度を得ることができる。
【０００７】
以上、請求項１及び請求項２のいずれの発明においても、上記の例において、第2のステップにおいて「港区店」を検出し、第３のステップにおいて甲州街道沿いのレストランの名称及びその後に「という店」を付加したものをルールとし、第４のステップにおいて音声認識を再実行することにより、「港区店」を「ミーナという店」に修正して認識結果とすることができる。
【０００８】
なお、「ルール」とは、すべての単語連鎖に対してそれが出現するか否かを規定するものであり、ルールを用いた音声認識においては、出現すると規定された単語連鎖のみが認識結果となりえる。
【発明の効果】
【０００９】
請求項１の発明によれば、再認識対象単語を音声認識の使用用途に合わせて設計することができ、音声認識の使用用途に合致する認識結果を出力させることができる。
【００１０】
請求項２の発明によれば、確信度の小さい単語列について音声認識を再実行することにより、音声認識システムの認識精度を向上させることができる。
【発明を実施するための最良の形態】
【００１１】
本発明は、初期認識単語列によって条件を満たすことが明らかになる部分を再認識対象単語列とし、これに対応して条件を満たす単語列のみを対象とするルールを用いた音声認識を行うため、条件を満たす単語列が認識結果となる。
【００１２】
請求項１の発明によれば、第１のステップの出力であるディクテーションの音声認識結果に対して、第２のステップにおいて全体を解析してある条件を満たすべき単語を認識結果とすべき場合を検出し、第３のステップにおいて満たすべき条件をルールとして決定し、第４のステップにおいてルールを用いて音声認識を再実行することができる。これにより、第２のステップにおいて検出された単語については、満たすべき条件に合ったもののみを認識結果とすることができる。
【００１３】
請求項２の発明によれば、第１のステップの出力であるディクテーションの音声認識結果に対して、第２のステップにおいて確信度が低い単語列を検出し、第３のステップにおいてこの検出された単語列が満たすべき条件をルールとして決定し、第４のステップにおいてルールを用いて音声認識を再実行することができる。これにより、第２のステップにおいて検出された単語については、満たすべき条件に合った限定された単語列を対象にして第４のステップの音声認識が実行され、高い認識精度を得ることができる。
【００１４】
以上、請求項１及び請求項２のいずれの発明においても、上記の例において、第2のステップにおいて「港区店」を検出し、第３のステップにおいて甲州街道沿いのレストランの名称及びその後に「という店」を付加したものをルールとし、第４のステップにおいて音声認識を再実行することにより、「港区店」を「ミーナという店」に修正して認識結果とすることができる。
【００１５】
なお、「ルール」とは、すべての単語連鎖に対してそれが出現するか否かを規定するものであり、ルールを用いた音声認識においては、出現すると規定された単語連鎖のみが認識結果となりえる。
【実施例１】
【００１６】
図１は、請求項１及び請求項２の発明を同時に実施するような一実施例に係る音声認識システムの実施の形態を示す図である。
本実施例では、自動車の中で飲食店等の施設を案内するシステムのために音声による案内の要求を使用者がするものとし、音声１は「レストランで、えーと、甲州街道沿いにある、ミーナという店の電話番号が知りたい」という発声のものとする。
【００１７】
音声１が音声認識システム２に入力されると、それは音声記憶域２５１に記憶され、同時にディクテーションシステム２１に入力される。ディクテーションシステム２１は、Ｎグラム記憶域２５２の内容に基づいて音声認識を行い、その結果を単語列記憶域２５３に出力する。この時、単語列記憶域２５３は図２のＡに示すようになっており、本説明においては「ミーナという」に替えて「港区」が認識結果となっているものとする。
【００１８】
再認識対象単語決定システム２２は、単語列記憶域２５３を参照し、図２のＡにおいて単語「港区」及び「店」の確信度が閾値よりも小さいので、「港区店」を再認識対象単語と決定し、これをルール決定システム２４に通知する。ここで閾値は音声認識システムの使用目的及び使用環境などを考慮し実験的に定められるべきものであるが、本説明においては０．５であるとする。
【００１９】
ルール決定システム２３は、単語列記憶域２５３を参照し、再認識対象単語とされた「港区店」に替えて認識対象となるべき単語列を求める。本実施例では、「レストラン」及び「甲州街道」があることから、案内対象施設を検索して甲州街道に近いレストランを認識対象とする。この際、レストラン名の後に「という店」という表現が付加されることを想定する。この結果を、ルール記憶域２５３に出力する。この時、ルール記憶域２５３は図３のようになっている。なお、図３において中かっこ（｛、｝）はその中の１単語を、小かっこ（（、））はその単語が使用者の選択により付加される可能性を示す。
【００２０】
ルール音声認識システム２４は、単語列記憶域２５３を参照して再認識対象音声の開始及び終了時刻を求め、求められた時刻に該当する音声を音声記憶域２５１から得、得られた音声に関してルール記憶域２５３に格納されたルールによる音声認識を行い、その結果に基づいて単語列記憶域２５３を更新する。この時、単語列記憶域２５３は図２のＢに示すようになっており、「港区」が「ミーナという店」に更新された正しい認識結果となっている。
【００２１】
音声認識システム２は、単語列記憶域２５３を参照して、単語を認識結果３として出力する。
【００２２】
以上、本発明の実施例を詳述したが、本発明は前期実施例に限定されたものではない。そして、本発明は、特許請求の範囲に記載された事項を逸脱することがなければ、種々の設計変更を行うことが可能である。ルール決定システム２３が再認識対象単語を決定する処理の詳細は、音声認識の使用用途によって定めることができる。
【産業上の利用可能性】
【００２３】
ディクテーションによって情報入力を行う際に、必須の情報の精度向上に適用できる。
【図面の簡単な説明】
【００２４】
【図１】本発明の一実施例に係る音声認識システムの実施の形態を示した説明図である。
【図２】単語列記憶域を示した説明図である。
【図３】ルール記憶域を示した説明図である。
【符号の説明】
【００２５】
１      音声
２      音声認識システム
２１    ディクテーションシステム
２２    再認識対象単語決定システム
２３    ルール決定システム
２４    ルール音声認識システム
２５１  音声記憶域
２５２  Ｎグラム記憶域
２５３  単語列記憶域
２５４  ルール記憶域
３      認識結果
４１    初期認識単語列
４２    再認識後の単語列
【図１】
2005202165.tif 000003
【図２】
2005202165.tif 000004
【図３】
2005202165.tif 000005